(57)【要約】【課題】構造が簡単で且つ操作が簡単である手品具を提供すること。【解決手段】本体ケース２内部は、仕切板５によって、コイン２０を上下方向に積み重ねた状態で予め収納しておくためのコイン収納部６と、操作中にコイン２０ａを投入するためのコイン投入部７とに二分され、前記仕切板５は、前記本体ケース２の上壁の内面に固設され、且つ前記仕切板５の下端と本体ケース２の下壁との間には、前記コイン収納部６に収納されたコイン２０が一枚ずつ前記コイン投入部７に移動可能なスリット５ａが設けられている。【選択図】  図１
2004337352.tif 000002
【特許請求の範囲】
【請求項１】
略直方体形状で且つ中空状の本体ケースと、当該本体ケースの一方の開口部であるコイン収納口を塞ぐ収納口閉じ蓋と、を有し、
前記本体ケースの内部は、仕切板によって、当該仕切板と前記コイン収納口との間にコインを上下方向に積み重ねた状態で予め収納しておくためのコイン収納部と、当該仕切板と他方の開口部であるコイン投入口との間に操作中にコインを投入するためのコイン投入部とに二分され、
前記仕切板は、前記本体ケースの上壁の内面に固設され、且つ前記仕切板の下端と本体ケースの下壁との間には、前記コイン収納部に収納されたコインが一枚ずつ前記コイン投入部に移動可能なスリットが設けられている
ことを特徴とするコイン増加トリック手品具。
【請求項２】
前記コイン投入部内における本体ケースの下壁には、前記コイン収納部から当該コイン投入部へ移動したコインを停止させるための段差を形成するコインストッパーが、前記スリットから当該段差までの間隔がコインの直径と同じもしくは若干大きいサイズ分となるように設けられていることを特徴とする請求項１に記載のコイン増加トリック手品具。
【請求項３】
前記コイン収納部内には、一端が本体ケースの上壁に固着され、且つ他端には、収納したコインを押圧するための押圧板が備えられたバネが、上下方向に伸縮自在に設けられ、コインが前記押圧板を介して前記本体ケースの下壁に押圧された状態で収納されるように構成されていることを特徴とする請求項１又は２に記載のコイン増加トリック手品具。
【請求項４】
前記収納口閉じ蓋は、操作中に前記コイン収納口から外れないように、前記コイン収納口にて本体ケースと係合可能な構造となっていることを特徴とする請求項１から３の何れかに記載のコイン増加トリック手品具。
【発明の詳細な説明】
【０００１】
【発明の属する技術分野】
本発明は、コインを使った手品具であって、特に箱の中に収容したコインの枚数が箱の中で次々と増加していくという錯覚を観覧者に与えることのできるコイン増加トリック手品具に関するものである。
【０００２】
【従来の技術】
従来、コインを用いる手品具は種々あるが、例えば手品を行う者（以下、操作者という）が箱の中にコインを収容して箱の蓋を一端閉じた後にこの箱の蓋を開けると、コインの枚数が収容時の枚数から変化しているという手品を行う為の手品具としては、例えば次の先行技術文献に記載の発明がある。
【０００３】
【特許文献１】
特許第２５６５６６１号公報
【０００４】
【発明が解決しようとする課題】
ここで、上記先行技術文献に記載の発明は、例えば２枚のコインが１枚に半減するといったコインの半減トリック手品具に関するものであり、コインの枚数が減少するという錯覚を与える手品を行うためのものであるが、これに対し、コインの枚数が箱の中で増加するという錯覚を与える手品を行う為の手品具であって、構造が簡単であり且つ操作も簡単に行えるものは、今までに存在しなかった。特に、箱の中にコインを収容して箱の蓋を一端閉じた後にこの箱の蓋を開けるという操作を繰り返して行うことによってコインの枚数が収容時の枚数から次々と増加していくといった手品を行える手品具は存在しなかった。
【０００５】
そこで本発明の目的は、箱の中にコインを収容して箱の蓋を一端閉じた後にこの箱の蓋を開けるという操作を繰り返して行うことにより、コインの枚数が収容時の枚数から次々と増加していくという錯覚を与える手品を行う為のものであって、構造が簡単であり且つ操作も簡単に行えるコイン増加トリック手品具を提供することにある。
【０００６】
【課題を解決するための手段】
上記目的を達成するために、本発明のコイン増加トリック手品具は、略直方体形状で且つ中空状の本体ケースと、当該本体ケースの一方の開口部であるコイン収納口を塞ぐ収納口閉じ蓋と、を有し、前記本体ケースの内部は、仕切板によって、当該仕切板と前記コイン収納口との間にコインを上下方向に積み重ねた状態で予め収納しておくためのコイン収納部と、当該仕切板と他方の開口部であるコイン投入口との間に操作中にコインを投入するためのコイン投入部とに二分され、前記仕切板は、前記本体ケースの上壁の内面に固設され、且つ前記仕切板の下端と本体ケースの下壁との間には、前記コイン収納部に収納されたコインが一枚ずつ前記コイン投入部に移動可能なスリットが設けられているものである。
【０００７】
【発明の実施の形態】
以下、本発明の一実施形態に係るコイン増加トリック手品具について、図面を参照して説明する。
【０００８】
［コイン増加トリック手品具の構成］
まず、本実施形態に係るコイン増加トリック手品具１の構成を図１及び図２を参照して説明する。本実施形態に係るコイン増加トリック手品具１は、左右両面が開口した中空状の本体ケース２と、この両面を塞ぐ２つの蓋３，４とから構成されている。そして、前記本体ケース２は略直方体形状であり、この本体ケース２の内部には、本体ケース２内をケースの長手方向に二分する仕切板５が設けられている。
【０００９】
前記仕切板５は、図１に示すように、当該本体ケース２の開口部の内の一方から、コインの直径と同じもしくは若干大きいサイズ分だけケース内側の位置に、この一方の開口部の面と略平行に設けられている。そしてこのように仕切板５が設けられることによって、開口部の内の一方（以下、コイン収納口６ａという）側のコイン収納部６と、他方（以下、コイン投入口７ａという）側のコイン投入部７とに本体ケース２内が二分され、前記コイン収納部６に後述の如くコインを上下方向に積み重ねた状態で予め収納しておくことができるようになる。
【００１０】
また、前記仕切板５は本体ケース２の上壁の内面に固設されており、さらに仕切板５の下端と本体ケース２の下壁との間には、前記コイン収納部６に収納されたコイン２０を前記コイン投入部７に一枚ずつ移動可能にするスリット５ａが設けられている。よって、このスリット５ａの上下方向の幅は、コイン収納部６に収納するコイン２０の内で最も厚いコインの厚さよりも若干大きいサイズに設定されていれば良く、最大でもコイン２枚分の厚さよりも小さいサイズでなければならない。
【００１１】
そして、前記コイン収納部６内には、上下方向に伸縮自在のバネ８の一端が図１のように本体ケース２の上壁に固着されており、且つ当該バネ８の他端には、収納したコイン２０を押圧するための押圧板９が備えられている。このような構成により、コイン２０は押圧板９と本体ケース２の下壁との間の空間に収納されることとなる。
【００１２】
さらに、前記コイン投入部７内における本体ケース２の下壁には、前記コイン収納部６から当該コイン投入部７へ移動したコイン２０を停止させるための段差１０ａを形成するコインストッパー１０が設けられている。また、この段差１０ａと前記スリット５ａとの間には、コイン２０の直径と同じもしくは若干大きいサイズ分だけの間隔が設けられている。
【００１３】
尚、本実施形態における２つの蓋の内、コイン収納口６ａを塞ぐ蓋４の形状を板状とし、コイン投入口７ａを塞ぐ蓋３と異なる形状としておくことで、操作者は後述の如くコイン２０ａを本体ケース２内に投入する側の蓋３を区別することができるようになる。またこの板状蓋４は、操作中に当該板状蓋４が外れないように、コイン収納口６ａにおいて本体ケース２と係合可能な構造となっている。
【００１４】
［コイン増加トリック手品具の操作手順］
次に、上述のような構成のコイン増加トリック手品具１を用いた手品の操作手順の一例を、図３および図４を参照して説明する。
【００１５】
まず手品を始める前に、操作者は、板状蓋４を開けて本体ケース２のコイン収納部６内に図３のように複数枚の同種のコイン２０を収納し、板状蓋４でコイン収納口６ａを塞いでおく。このとき、収納されたコイン２０はバネ８により押圧板９を介して本体ケース２の下壁に押圧された状態で収納されている。
【００１６】
そして、操作者は上述のようにコイン２０を収納した本体ケース２を把持して蓋３を取り、収納したものと同種のコイン２０ａを１枚だけコイン投入口７ａから本体ケース内２に投入する。そして、コイン投入後に蓋３を閉め、この蓋３を指で押さえた状態で本体ケース２を把持し、ケース長手方向（図３の矢印方向）に振る。このとき、本体ケース２の下壁（すなわち、スリット５ａが存在する側）を下側にした状態で本体ケース２を振らなければならない。
【００１７】
このようにして本体ケース２を振ると、コイン収納部６に収納されていたコイン２０の内、一番下に収納されている１枚のコイン２０が、スリット５ａを通ってコイン収納部６からコイン投入部７へ移動する。そして、このコイン２０はコインストッパー１０により形成された段差１０ａによって移動が停止し、本体ケース２の内部は図４のような状態となる。このとき、コイン収納部６内に残ったコイン２０は、バネ８により押圧板９を介して本体ケース２の下壁に押圧された状態で収納されている。また、これらコイン２０の内の一番下に位置したコイン２０は、段差１０ａによって停止しているコイン２０によって、スリット５ａからコイン投入部７側への移動が妨げられるため、操作者によって本体ケース２が上述の如く振られても、相当激しく振られない限りは新たにコイン２０がコイン投入部７側へ移動してくることはない。
【００１８】
そして上記操作の後、操作者が本体ケース２を上下方向にも振る等して、移動したコイン２０をコインストッパー１０の段差１０ａから外し、しかる後に蓋３を開け、コイン投入口７ａが下側に来るように本体ケース２を傾けると、コイン投入口７ａから投入したコイン２０ａと、コイン収納部６からコイン投入部７へ移動してきたコイン２０とが本体ケース２から出てくることになる。こうして観覧者には、１枚だけコイン２０ａを入れたはずが、本体ケース２の中で一枚増加して２枚のコインが出てきたという錯覚を与えることができるようになる。
【００１９】
また、コイン収納部６に予め多数のコイン２０を収納しておいた状態で、上記操作に続けて、２枚のコインを再びコイン投入口７ａから投入し、蓋３を閉めてから本体ケース２をケース長手方向に振るといった上述の一連の操作を繰り返し行うことにより、今度は２枚のコインが３枚になって本体ケース２から出てくることになる。以上のように、本実施形態に係るコイン増加トリック手品具１によれば、前記本体ケース２の中でコインが１枚ずつ恰も増加しているかのような不可思議さを観覧者に与えることができる。
【００２０】
［第二実施形態］
また上記第一実施形態では、同種のコインが一枚ずつ増加していくような錯覚を観覧者に与える操作を行っているが、本体ケース２を振る操作を激しく行うことにより、同種のコインが倍増していくというような錯覚を観覧者に与えることもできる。例えば、２枚のコインを投入した後に、コイン収納部６からコイン投入部７へのコイン移動操作と、移動したコインを段差１０ａから外す操作とを二回繰り返し行うことで、蓋を開けて本体ケース２を傾けると４枚のコインが出てくることとなるため、観覧者には、２枚のコインが４枚に倍増したという錯覚を与えることができる。
【００２１】
［第三実施形態］
また、上記第一及び第二実施形態では同種のコインを用いているが、異種のコインを混ぜてコイン収納部に収納しておき、各種コインが次々に増加していくような錯覚を与えることもできる。
【００２２】
例えば、コインをコイン収納部６内に一番下から１０円玉１枚、５０円玉１枚、さらに１００円玉１枚といった具合に予め収納しておき、まず操作者は１０円玉を１枚コイン投入部７へ投入して上述の如き操作を行うことにより、１０円玉が２枚に増加する。続いて操作者が５０円玉１枚を投入して同様の操作を行い、さらに１００円玉１枚を投入して同様の操作を行えば、１０円玉のみならず５０円玉や１００円玉も次々と２枚に増加する。
【００２３】
以上のように、異種のコインを混ぜて収納する場合には、操作者が異種コインの収納した順番を予め覚えておき、その順番に従って対応する種類のコインを投入していけば、各種コインが次々と増加していくといった新たな錯覚を観覧者に与えることができるようになる。
【００２４】
尚、上記各実施形態において用いられるコイン増加トリック手品具１において、予め収納可能なコインの枚数を増加させるには、本体ケースの高さ（上下方向のサイズ）を任意に大きくすれば良い。また、上記各実施形態ではコイン投入口を蓋で塞いで上記操作を行っているが、特に蓋を用いずとも、操作者が直に指でコイン投入口を塞いで上記操作を行うようにしても良い。
【００２５】
【発明の効果】
以上に述べたように、本発明のコイン増加トリック手品具によれば、箱の中にコインを収容して箱の蓋を一端閉じた後にこの箱の蓋を開けるという操作を繰り返して行うことにより、コインの枚数が収容時の枚数から次々と増加していくという不可思議さを観覧者に与えることができる。さらに、本発明のコイン増加トリック手品具は、構造が簡単であり且つ操作も簡単に行えるため、熟練したテクニックがない子供でも、本発明のコイン増加トリック手品具を用いて容易に手品を行うことができるといった利点もある。
【図面の簡単な説明】
【図１】本発明の一実施形態に係るコイン増加トリック手品具の構成部品を示す断面図である。
【図２】図１のコイン増加トリック手品具の構成部品を示す斜視図である。
【図３】本実施形態のコイン増加トリック手品具に予めコインが収納された状態を示す図である。
【図４】図３の状態の後に操作者がコインを投入してから本体ケースを振る操作を行った後の本体ケース内の状態を説明するための図である。
【符号の説明】
１…コイン増加トリック手品具、２…本体ケース、３…蓋、４…板状蓋、５…仕切板、５ａ…スリット、６…コイン収納部、６ａ…コイン収納口、７…コイン投入部、７ａ…コイン投入口、８…バネ、９…押圧板、１０…コインストッパー、１０ａ…段差、２０…コイン（収納したコイン）、２０ａ…投入したコイン。
【図１】
2004337352.tif 000003
【図２】
2004337352.tif 000004
【図３】
2004337352.tif 000005
【図４】
2004337352.tif 000006